(57)【要約】【課題】  家庭用装置の集まりとのコンテンツの同期化方法及び装置を提供する。【解決手段】  ネットワーク内で得られるコンテンツと他の装置上のコンテンツ間にコンテンツを同期化する複数の装置より構成されたネットワーク内の同期制御器。同期制御器がホームネットワークとコンテンツの同期化をしようとする装置を識別した場合、同期制御器は、装置のコンテンツとホームネットワーク内で得られるコンテンツとをマッチさせようと試みる。もし、マッチしないと、コンテンツ管理手段は、前記装置からホームネットワーク側に、または逆に、コンテンツを転送するためのコンテンツセッションを開始する。このようなプロセスの間に装置は、自身がどんなホーム装置と同期化しているか、また、コンテンツがどんな種類のフォーマットに保存されるかについて知る必要がない。【選択図】      図４
2006295918.tif 000002
【特許請求の範囲】
【請求項１】
複数の装置より構成されたネットワークにおいて、
前記ネットワーク内の装置で得られるコンテンツのディレクトリを維持する段階と、
コンテンツを含む他の装置と通信を形成する段階と、
前記ディレクトリを用いてネットワーク内のコンテンツのメタデータが前記他の装置のメタデータとマッチするか否かを決定する段階と、
ネットワーク内のコンテンツのメタデータが前記他の装置のコンテンツとマッチしていない場合、ネットワーク内のコンテンツと前記他の装置とを同期化する段階とを含むコンテンツを同期化するための同期化方法。
【請求項２】
前記ディレクトリ維持段階は、ネットワーク内の装置上で利用できるコンテンツに対する情報を検出し、前記検出された情報をディレクトリ内に保存する段階をさらに含むことを特徴とする請求項１に記載の同期化方法。
【請求項３】
ネットワーク内のコンテンツは、コンテンツユニットを含み、各コンテンツユニットは、ネットワーク内の装置に保存され、前記ディレクトリは、複数のエントリを含むが、前記各エントリは、ネットワーク内のコンテンツについての識別情報及び装置位置情報を含むことを特徴とする請求項１に記載の同期化方法。
【請求項４】
前記同期化段階は、前記ディレクトリ内のコンテンツの識別情報に基づいて前記他の装置のコンテンツとネットワーク内のコンテンツとを同期化する段階をさらに含むことを特徴とする請求項３に記載の同期化方法。
【請求項５】
前記同期化段階は、前記ディレクトリ内のコンテンツの位置情報に基づいて前記他の装置のコンテンツとネットワーク内のコンテンツとを同期化する段階をさらに含むことを特徴とする請求項３に記載の同期化方法。
【請求項６】
同期化の間に同期化するコンテンツを保存するネットワーク内の装置のアイデンティティは、前記他の装置に対して透明であることを特徴とする請求項１に記載の同期化方法。
【請求項７】
同期化の間に同期化するコンテンツのフォーマットは、前記他の装置に対して透明であることを特徴とする請求項１に記載の同期化方法。
【請求項８】
前記通信を形成する段階は、ネットワーク内の装置と前記他の装置間に通信を容易にするためにプロトコル変換を行う段階さらに含むことを特徴とする請求項１に記載の同期化方法。
【請求項９】
前記同期化段階は、前記ネットワークからのコンテンツをもって前記他の装置内のコンテンツを更新する段階をさらに含むことを特徴とする請求項１に記載の同期化方法。
【請求項１０】
前記同期化段階は、前記他の装置からのコンテンツをもって前記ネットワーク内のコンテンツを更新する段階をさらに含むことを特徴とする請求項１に記載の同期化方法。
【請求項１１】
前記同期化段階は、同期化した情報をもって前記ネットワーク内のディレクトリを更新する段階をさらに含むことを特徴とする請求項１に記載の同期化方法。
【請求項１２】
前記ネットワークは、常にオン状態の装置のネットワークを含み、前記他の装置は間欠的接続の装置を含むことを特徴とする請求項１に記載の同期化方法。
【請求項１３】
前記同期化段階は、前記ネットワークと前記他の装置間のコンテンツを変換符号化することによって、同期化する段階をさらに含むことを特徴とする請求項１に記載の同期化方法。
【請求項１４】
複数の装置より構成されたネットワークにおいて、
前記ネットワーク内の装置で得られるコンテンツのディレクトリと、
コンテンツを含む他の装置と通信を形成する通信ドライバと、
前記ディレクトリを用いてネットワーク内のコンテンツが前記他の装置のコンテンツとマッチするか否かを決定するが、ネットワーク内のコンテンツが前記他の装置のコンテンツとマッチしていない場合、ネットワーク内のコンテンツと前記他の装置とを同期化するコンテンツ管理手段とを含んでコンテンツを同期化する同期制御器。
【請求項１５】
前記ディレクトリは、ネットワーク内の装置上で利用できるコンテンツについての同期化情報を含むことを特徴とする請求項１４に記載の同期制御器。
【請求項１６】
ネットワーク内のコンテンツは、コンテンツユニットを含み、各コンテンツユニットは、ネットワーク内の装置に保存され、前記ディレクトリは、それぞれネットワーク内のコンテンツについての識別情報及び装置位置情報を含む複数のエントリを含むことを特徴とする請求項１４に記載の同期制御器。
【請求項１７】
前記コンテンツ管理手段は、ディレクトリのコンテンツの識別情報に基づいて前記他の装置のコンテンツとネットワーク内のコンテンツとをさらに同期化することを特徴とする請求項１６に記載の同期制御器。
【請求項１８】
前記コンテンツ管理手段は、前記ディレクトリのコンテンツの位置情報に基づいて前記他の装置のコンテンツとネットワーク内のコンテンツとをさらに同期化することを特徴とする請求項１６に記載の同期制御器。
【請求項１９】
同期化の間に同期化するコンテンツを保存するネットワーク内の装置のアイデンティティは、前記他の装置に対して透明であることを特徴とする請求項１４に記載の同期制御器。
【請求項２０】
同期化の間に同期化するコンテンツのフォーマットは、前記他の装置に対して透明であることを特徴とする請求項１４に記載の同期制御器。
【請求項２１】
前記通信用ドライバは、ネットワークと前記他の装置間に通信を容易にするためにプロトコル変換を行うことによって、通信を形成することを特徴とする請求項１４に記載の同期制御器。
【請求項２２】
前記コンテンツ管理手段は、前記ネットワークから前記他の装置にコンテンツを転送することによって、同期化することを特徴とする請求項１４に記載の同期制御器。
【請求項２３】
前記コンテンツ管理手段は、前記他の装置から前記ネットワークにコンテンツを転送することによって、同期化することを特徴とする請求項１４に記載の同期制御器。
【請求項２４】
前記コンテンツ管理手段は、同期化した情報をもってディレクトリをさらに更新することを特徴とする請求項１４に記載の同期制御器。
【請求項２５】
前記コンテンツ管理手段は、前記ネットワークと前記他の装置間のコンテンツを変換符号化することによって、同期化することを特徴とする請求項１４に記載の同期制御器。
【請求項２６】
前記ネットワークは、常にオン状態の装置のネットワークを含み、前記他の装置は、間欠的接続の装置を含むことを特徴とする請求項１４に記載の同期制御器。
【発明の詳細な説明】
【技術分野】
【０００１】
本発明は、ネットワーク化された装置の集まりとのコンテンツの同期化に係り、特に、ホームネットワーク内の常にオン状態の装置と間欠的接続の装置間のコンテンツの同期化に関する。
【背景技術】
【０００２】
ホームネットワーク装置のようにコンテンツを含む装置の拡散につれてネットワーク上におけるコンテンツの同期化がますます重要となっている。ホームネットワークは、典型的にＴＶ、ＤＶＤプレーヤー、ＰＣ、アプリケーションなどの装置を含む。
【０００３】
ホームネットワーク上でコンテンツを同期化するための従来の接近は、固定された構成を利用したメカニズムやフレームワークを含む。かかる固定された構成は、典型的に単一装置と選択されたアプリケーションとの間で探しうる。そのような構成は、例えば、アップル社の“ｉＰｏｄ”装置、“ｉＴｕｎｅｓ”アプリケーション、“Ｐａｌｍ／ＰｏｃｋｅｔＰＣ”装置、及びＰＣデスクトップ生産性アプリケーションがある。
【０００４】
従来のフレームワークの特徴は、装置とアプリケーション間の両方向の同期化、すなわち、いずれか一方に発生した変化は、同期後に直ちに他方に反映されることである。同期化は、ユーザーの命令があるか、アプリケーション・ホストシステムがネットワーク上のある装置の存在を検出するか、または、その反対の場合に自動的に開始される。
【０００５】
しかし、前記した従来の接近方式の短所は、ユーザーが固定された装置とこれに対応するアプリケーション間に構成を設定しなければならないという点である。結果的に、装置とアプリケーションとが互いに堅く結合される。なお、従来の接近方式は、同期化したコンテンツが目標相手の能力や限界に適応していない。
【発明の開示】
【発明が解決しようとする課題】
【０００６】
本発明が解決しようとする技術的課題は、さらに適応的で柔軟なコンテンツの同期化方法及び装置を提供することによって、ユーザーの便宜を増大させることである。
【課題を解決するための手段】
【０００７】
前記技術的課題を達成するために本発明は、複数の装置より構成されたネットワークにおけるコンテンツを同期化するための同期化方法であって、前記ネットワーク内の装置で得られるコンテンツのディレクトリを維持する段階と、コンテンツを含む他の装置と通信を形成する段階と、前記ディレクトリを用いてネットワーク内のコンテンツのメタデータが前記他の装置のメタデータとマッチするか否かを決定する段階と、ネットワーク内のコンテンツのメタデータが前記他の装置のコンテンツとマッチしていない場合、ネットワーク内のコーンテントと前記他の装置とを同期化する段階とを含む。
【０００８】
前記他の技術的課題を達成するための本発明は、複数の装置より構成されたネットワークにおけるコンテンツを同期化する同期制御器であって、前記ネットワーク内の装置で得られるコンテンツのディレクトリと、コンテンツを含む他の装置と通信を形成する通信ドライバと、前記ディレクトリを用いてネットワーク内のコンテンツが前記他の装置のコンテンツとマッチするか否かを決定するが、ネットワーク内のコンテンツが前記他の装置のコンテンツとマッチしていない場合、ネットワーク内のコンテンツと前記他の装置とを同期化するコンテンツ管理手段とを含む。
【０００９】
一実施形態において、本発明に係る方法及び装置は、ユーザーとソフトウェア開発者がネットワーク１０内の装置間でコンテンツの同期化のために採択すべき段階を容易にする。本発明は、装置及びアプリケーション間の同期化と関連した単純化されたセットアップ及び段階を提供する。本発明は、さらに同期化が知能的で柔軟な方式で行われるようにする。
【００１０】
他の例で本発明は、ホームネットワーク内に一つ以上の同期制御器を含むが、各同期制御器は、媒体ディレクトリを含む。媒体ディレクトリは、ホームネットワーク内の多様な装置上で得られるあらゆるコンテンツに対するテーブル／ディレクトリを含む。
【００１１】
前記ディレクトリは、ネットワーク内の各コンテンツについての識別情報及び位置情報を含む。この識別情報は、コンテンツユニットについての固有の識別情報(例えば、コンテンツの名称、バージョン番号、生成日など)を含む。位置情報は、同期化するコンテンツにアクセスするためにＵＲＩのような固有の識別者を含む。
【００１２】
同期制御器は、コンテンツ管理手段と装置通信用ドライバとをさらに含む。装置通信用ドライバは、ホームネットワーク内の常にオン状態の装置と間欠的接続の装置間の通信のためのプロトコル変換を提供する。コンテンツ管理手段は、媒体ディレクトリと装置通信用ドライバとを用いてコンテンツを同期化する。
【００１３】
他の実施形態で、コンテンツ管理手段がホームネットワークとコンテンツの同期化しようとする間欠的接続の装置を識別し同期化プロセスを始めれば、コンテンツ管理手段は、外部装置のコンテンツをホームネットワーク内で得られるコンテンツとマッチさせようと試みる。もし、マッチしないと、コンテンツ管理手段は、間欠的接続の装置からホームネットワーク側に、または逆に、コンテンツを転送するための同期化セッションを開始する。このプロセスの間に間欠的接続の装置は、自身がどの常にオン状態の装置と同期化しているか、またはコンテンツがどんな種類のフォーマットに保存されるか知る必要がない。
【００１４】
装置通信用ドライバは、間欠的接続の装置とネットワーク内の常にオン状態の装置間の通信のようにネットワーク−装置間の通信のためにプロトコル変換を提供する。例えば、ホームネットワークが１３９４ネットワークを含み、間欠的接続ネットワークは、ノン・１３９４(１３９４ネットワーク外の)ネットワークを含む場合、装置通信用ドライバは、ホームネットワーク内の１３９４装置が間欠的接続のノン・１３９４装置と通信し、コンテンツの同期化を行えるようにプロトコル変換を提供する。
【００１５】
望ましくは、装置通信用ドライバは、複数のプロトコル変換方法を含むことによって、ホームネットワークの装置が他の通信プロトコルを使用する多様な間欠的接続の装置と通信可能にする。それにより、装置通信用ドライバは、常にオン状態の装置(例えば、ホームネットワーク内)と間欠的接続の装置間の通信のために必要なプロトコル変換を決定する。また、装置通信用ドライバは、常にオン状態の装置と間欠的接続の装置間の通信を可能にするために必要なプロトコル変換プロセシングを提供する。さらに、装置通信用ドライバは、必要に応じてネットワーク内の装置間のイントラネットワーク通信を容易にする。
【００１６】
本発明は、装置及びアプリケーション間の同期化と関連した単純化されたセットアップ及び段階を提供し、同時にコンテンツの同期化が知能的で柔軟な方式で行われるようにする。
【発明の効果】
【００１７】
ネットワーク上の相異なる装置間コンテンツを同期化する場合、本発明に係るコンテンツの同期化は、連結する装置などのアイデンティティやコンテンツのフォーマットなどに対して透明であるので、装置の構成などに拘わらず自由に行われる。ユーザーもやはりコンテンツの同期化のために毎度装置の構成に対する設定をする必要がないので便利である。
【発明を実施するための最良の形態】
【００１８】
以下、添付した図面を参照して本発明の他の実施形態、特徴及び長所を説明する。
【００１９】
図１は、本発明に係るネットワーク１０(例:ホームネットワーク)の例示的な機能アーキテクチャを示す。これは、ホーム装置の集まりとコンテンツを同期化するための方法及びシステムを具現したものである。ネットワーク１０は、常にオン状態の装置２０、一つ以上の同期化制御器３５、ネットワーク１０に間欠的に連結される間欠的接続の装置２５、及びインターネット５０を含む。
【００２０】
さらに、一つ以上の同期制御器３５は、論理装置であるか、クライアント及び／またはサーバー装置２０内に含まれることもある。
【００２１】
この実施形態において、装置２０及び３５は、相互通信とプロトコルのためにＨＴＴＰプロトコルを具現する。前記の一例では、ＨＴＴＰプロトコルがネットワーク１０により利用されているが、当業者でれば本発明がクライアント−サーバーモデルを利用する他のネットワーク通信プロトコルにも有用であるという点を理解しうる。
【００２２】
ネットワーク１０内の同期制御器３５は、ユーザーとソフトウェア開発者がネットワーク１０内の装置の間でコンテンツを同期化するために採択せねばならない段階を単純化する。本発明は、装置及びアプリケーション間の同期化と関連した単純化された設定及び段階を提供する。本発明は、さらに同期化が知能的で柔軟な方式で行われるようにする。
【００２３】
ネットワーク１０内のアプリケーション及び装置は、固定され、かつ予め構成された相手方内に位置したコンテンツではなく、他の複数の任意のアプリケーションと装置上に位置したコンテンツと自動に同期化できる。さらに、同期化は、相手方の能力とユーザーの選好を考慮する方式でなされる。例えば、相異なるビデオフォーマットを支援する２装置間のビデオコンテンツの同期化過程は、ビデオをソース装置のフォーマットからデスティネーション装置のフォーマットに変換符号化する段階を含む。
【００２４】
一側面において、本発明は、ホームネットワークに間欠的接続した(外部の)装置２５がホームネットワーク１０内にどの装置２０が連結されているかを知らなくてもコンテンツをホームネットワークと同期化させうる。従来の接近方式(すなわち、外部装置は、間欠的接続の装置のようなプロトコルを採択しない装置とは同期化できない)とは異なって本発明に係るホームネットワークは、複数のコンテンツアクセスプロトコルが可能であるので、互換性が保証される。
【００２５】
また、他の側面において、本発明は、コンテンツアクセスプロトコルとコンテンツ能力に関して、ホームネットワーク内の目標装置２０と間欠的接続の装置２５間の差を克服するための方法を提供する。また、ネットワーク１０をして特定の同期化動作を行わせる方法を提供する。例えば、ネットワークがＰＤＡカレンダーをデスクトップＰＣに同期化させ、翌日の午前８時に会議があるという事実を知った場合、ネットワークは、これに対して目覚まし時計を同期化させ、したがって、目覚まし時計を午前７時にセットする。
【００２６】
同様に、一実施形態におけるネットワークは、一つ以上の同期制御器３５を含むが、各同期制御器３５は、ネットワーク内の装置２０と装置２５から装置の細部事項を隠す。各同期制御器３５は、動作に対する同期要請をネットワーク１０内の装置２０、３０にマッピングさせるためのマッピング方法を具現する。このマッピング方法は、間欠的接続の装置とネットワーク１０内のコンテンツとの間でどのように、いつ、何が同期化せねばならないのかを示す。
【００２７】
一実施形態において、このマッピング方法は、各同期制御器３５内にあらゆるコンテンツの切れ及び装置のメタデータ説明(例えば、コンテンツの名称、コンテンツの生成日、コンテンツフォーマット、コンテンツ位置など)を含む。これにより、各同期化制御器３５は、ユーザーによる受動操作なしにも同期化する適切なコンテンツと装置とを選択できる。ネットワーク１０内には複数の制御器があり得るが、本実施形態における間欠的接続の装置とネットワーク１０間の同期プロセスは、単に一つの制御器による。そして、制御器が正常に動作しない場合にのみそのプロセスは他の制御器にも正常に動作できない。
【００２８】
図２は、本発明に係るコンテンツの同期化が具現された例示的なネットワーク６０のハイレベル・ブロック図である。１群のホーム装置２０と同期化しようとする間欠的接続の装置２５は、同期を管理する同期制御器３５のうち一つと相互作用する。
【００２９】
図３は、例示的な同期制御器３５のハイレベル・ブロック図であって、コンテンツ管理手段６５、媒体ディレクトリ７０及び装置通信ブロック７５を備える。
【００３０】
図４は、図３の例示的な同期制御器３５の具体化された機能ブロック図である。図４において、媒体ディレクトリ７０は、ホームネットワーク６０内の多様な装置上で得られるあらゆるコンテンツに対するテーブル／ディレクトリ８５を含む。ディレクトリ８５は、ネットワーク内の各コンテンツユニット(例えば、音楽、画像、電話帳など)に対する識別及び位置情報を含む。媒体ディレクトリの生成には色々な方法があるが、その一つは、制御器自身が公知することである。ネットワーク駆動制御器が動作を開始すれば、装置２０は自身のコンテンツを応答メッセージと共に前記制御器に転送する。他の方法は、装置２０が始動時に自身のコンテンツを公知し、媒体ディレクトリをしてそのメッセージを受けると、自身のテーブルを更新させることである。
【００３１】
コンテンツ管理手段６５は、コンテンツを同期化する同期化プロセシング８０を含む。コンテンツ管理手段６５がホームネットワークとコンテンツの同期化のための間欠的接続の装置を識別し、同期化プロセシング８０を始めれば、コンテンツ管理手段６５は、装置２５内のコンテンツとホームネットワーク６０内で得られるコンテンツをマッチさせようと試みる。
【００３２】
もし、マッチしないと、コンテンツ管理手段６５は、コンテンツを外部装置３５からホームネットワーク１０に、または逆に、または両方向に転送する。媒体ディレクトリ８５は、大部分のアップデートを含んでいるので、媒体ディレクトリ８５は、ネットワーク内のコンテンツに関する情報を有する。媒体ディレクトリ８５は、さらにネットワーク内で同期化したネットワーク内のコンテンツを指示するために更新される。コンテンツが同期化すれば、媒体ディレクトリ８５内の情報は更新される。
【００３３】
一実施形態において、コンテンツ管理手段６５は、ホームネットワーク６０内の識別されたコンテンツユニットの日付及びサイズをこれに対応する識別された外部装置２５内のコンテンツユニットの日付及びサイズと比較することによって、コンテンツマッチングを行う。もし、一致しなければ、コンテンツ管理手段６５は、外部装置２５からホームネットワーク６０側に、または逆に、コンテンツを転送するための同期化セッションを開始する。
【００３４】
かかる同期化プロセスの間に間欠的接続の装置２５は、自身がどのホーム装置２０と同期化しているかを知る必要がない。すなわち、ホーム装置のアイデンティティは間欠的接続の装置に対して透明である。また、間欠的接続の装置２５は、どんな種類のフォーマットでコンテンツが保存されているか知っている必要がない。すなわち、コンテンツは、間欠的接続の装置に対して透明である。コンテンツのメタデータとホームネットワーク装置２０のメタデータとはそれぞれ媒体ディレクトリ８５と装置通信用ドライバ７５とにより管理される。コンテンツ管理手段６５は、このメタデータを用いて決定する。
【００３５】
装置通信用ドライバ７５は、間欠的接続の装置２５とネットワーク６０内の装置２０及び／または装置３５間の通信のようにネットワーク−装置間の通信のためにプロトコル変換を提供する。例えば、ホームネットワーク６０が１３９４ネットワークを含み、外部装置２５がノン・１３９４ネットワーク上のノン・１３９４装置を含みうる。装置通信用ドライバ７５は、ホームネットワーク内の１３９４装置がノン・１３９４外部装置２５と通信し、コンテンツの同期化を行えるようにプロトコル変換を提供する。
【００３６】
望ましくは、装置通信用ドライバ７５は、複数のプロトコル変換方法９０を含むことによって、ホームネットワーク６０内の装置が他の通信プロトコルを使用する多様な装置２５と通信できるようにする。それにより、装置通信用ドライバ７５は、ホームネットワーク６０内の装置２０と間欠的接続の装置２５間の通信のために必要なプロトコル変換を決定する。また、装置通信用ドライバは、常にオン状態の装置と間欠的接続の装置間の通信を可能にするために必要なプロトコル変換プロセシングを提供する。さらに、装置通信用ドライバは、必要に応じてネットワーク６０内の装置２０と間欠的接続の装置２５間の通信を可能にする。
【００３７】
さらに、装置通信用ドライバ７５は、必要に応じてネットワーク６０内の装置間のイントラネットワーク通信を容易にする。コンテンツ管理手段６５は、前記間欠的接続の装置について説明したような方式でホームネットワーク６０内の装置間のコンテンツの同期化を提供する。前記実施形態は、常にオン状態の装置と間欠的接続の装置間のコンテンツの同期化を説明しているが、本発明に係る方法と装置は、ネットワーク内の常にオン状態の装置間の同期化にも利用できる。コンテンツ管理手段６５は、ユーザーが同期化するコンテンツユニットを選択するように許容し、さらに、前記コンテンツ管理手段により同期化するコンテンツユニットのうち一部を選択可能にする。さらに、媒体ディレクトリ７０は、各コンテンツユニットの同期時にコンテンツ管理手段６５が利用するように前記選択情報を保存する。
【００３８】
本発明は、他の多様な形態で具現できるが、添付図面にはいくつかの望ましい実施形態のみ示して説明する。ところが、本明細書の記載は発明の原理に対する例示として理解せねばならず、本発明の広い側面を図解された実施形態に限定するための目的でない。前述した本発明に係る例示的なアーキテクチャは、当業者によりプロセッサによって行われるプログラム命令語、ロジック回路、ＡＳＩＣ、ファームウェアなどの多様な方式で具現できる。したがって、本発明は、ここに説明された例示的な実施形態に限定されない。
【００３９】
以上、本発明のいくつかの望ましい実施形態について詳細に説明したが、他の形態も可能である。したがって、特許請求の範囲の思想と範囲は、ここに記載された望ましい実施形態の説明にのみ限定されるものではない。
【産業上の利用可能性】
【００４０】
本発明は、ホームネットワーク上のコンテンツ同期化に関連した技術分野に好適に用いられる。
【図面の簡単な説明】
【００４１】
【図１】本発明に係るコンテンツの同期化方法が具現されたネットワークの例示的なハイレベル・ブロック図である。
【図２】本発明によるコンテンツの同期化システムが具現されたネットワークの例示的なハイレベル・ブロック図である。
【図３】本発明に係る例示的な同期制御器のハイレベルな機能ブロック図である。
【図４】図３の例示的な同期制御器のさらに具体化された機能ブロック図である。
【符号の説明】
【００４２】
３５  同期制御器
６０  ホームネットワーク
６５  コンテンツ管理手段
７０  媒体ディレクトリ
７５  装置通信
８０  同期化プロセシング
【図１】
2006295918.tif 000003
【図２】
2006295918.tif 000004
【図３】
2006295918.tif 000005
【図４】
2006295918.tif 000006